(57)【要約】【課題】固定されている支柱によりデッキ材に作用する負荷を抑えたデッキユニット等を提供する。【解決手段】複数のデッキ材が長手方向と交差する交差方向に互いに間隔を隔てて配置されたデッキと、前記デッキ上に立設された複数の支柱を備えたフェンスとを有するデッキユニットであって、前記支柱は、隣接する前記デッキ材間に架け渡されて固定されている。【選択図】図５
2008008026.tif 000002
【特許請求の範囲】
【請求項１】
複数のデッキ材が当該デッキ材の長手方向と交差する交差方向に互いに間隔を隔てて配置されたデッキと、前記デッキ上に立設された複数の支柱を備えたフェンスとを有するデッキユニットであって、
前記支柱は、隣接する前記デッキ材間に架け渡されて固定されていることを特徴とするデッキユニット。
【請求項２】
請求項１に記載のデッキユニットであって、
前記デッキ材の前記長手方向に沿って配置される前記支柱は、同一の隣接する前記デッキ材間に架け渡されて固定されていることを特徴とするデッキユニット。
【請求項３】
請求項１または請求項２に記載のデッキユニットであって、
前記支柱が立設されるピッチと、前記互いに間隔を隔てて配置された前記デッキ材における幾本か毎のピッチとは一致することを特徴とするデッキユニット。
【請求項４】
請求項１乃至請求項３のいずれかに記載のデッキユニットを施工する方法であって、
前記支柱を固定するために当該支柱に設けられた固定穴に対応させて前記隣接するデッキ材の各々に形成されるべき下穴の位置を示す複数の穴部と、
前記複数の穴部のうち、互いに異なる前記デッキ材に形成される下穴の位置を示す少なくとも２つの穴部の間から突出された突起部と、
を有する施工治具を用い、
前記突起部を前記隣接するデッキ材間の前記間隔に挿入させて前記施工治具を配置するステップと、
配置された前記施工治具の前記穴部に合わせて前記デッキ材に下穴を形成するステップと、
前記下穴に位置合わせした前記支柱を固定具にて固定するステップと、を有することを特徴とするデッキユニットを施工する方法。
【請求項５】
請求項４に記載のデッキユニットを施工する方法であって、
前記施工治具は、当該施工治具の端部を前記デッキ材の端部に揃えることにより、前記支柱が立設されるべき位置に前記穴部が配置されることを特徴とするデッキユニットを施工する方法。
【発明の詳細な説明】
【技術分野】
【０００１】
本発明は、デッキと、デッキ上に設けられたフェンスとを有するデッキユニットに関する。
【背景技術】
【０００２】
デッキ上にフェンスが設けられた従来のデッキユニットは、短冊状の複数のデッキ材としての床材を互いに間隔を隔てて配置して形成されたデッキ上に、デッキの端部近傍に複数の支柱としての柱材を有するフェンスが設けられている。フェンスを構成する複数の支柱は、フェンスを構成し隣接する支柱間に配置される面材の幅に合わせてデッキ上に立設され、例えば、１本のデッキ材に１本の支柱を固定したデッキユニットが知られている（例えば、特許文献１参照）。
【特許文献１】特開２００１−１１５５４８号公報
【発明の開示】
【発明が解決しようとする課題】
【０００３】
上記従来のデッキユニットのように、１本のデッキ材に１本の支柱が固定されると、固定されている支柱により作用される荷重が１本のデッキ材にかかるため、支柱が固定されたデッキ材への負荷が大きくなってしまうという課題があった。
【０００４】
本発明は、かかる課題に鑑みてなされたものであり、その目的とするところは、固定されている支柱によりデッキ材に作用する負荷を抑えたデッキユニット、及び、このデッキユニットを施工する方法を提供することにある。
【課題を解決するための手段】
【０００５】
かかる目的を達成するために本発明のデッキユニットは、複数のデッキ材が当該デッキ材の長手方向と交差する交差方向に互いに間隔を隔てて配置されたデッキと、前記デッキ上に立設された複数の支柱を備えたフェンスとを有するデッキユニットであって、前記支柱は、隣接する前記デッキ材間に架け渡されて固定されていることを特徴とするデッキユニットである。  
このようなデッキユニットによれば、各支柱が隣接する２本のデッキ材により支持されるので、１本のデッキ材に作用する負荷を軽減させることが可能であり、また、支柱をデッキにより強固に固定することが可能である。
【０００６】
かかるデッキユニットであって、前記デッキ材の前記長手方向に沿って配置される前記支柱は、同一の隣接する前記デッキ材間に架け渡されて固定されていることが望ましい。  
このようなデッキユニットによれば、デッキ材の長手方向に沿って配置される各支柱が隣接する２本のデッキ材により支持されるので、支柱をデッキにより強固に固定することが可能である。また、デッキ材の長手方向に沿って配置される各支柱が同一の隣接するデッキ材に固定されているので、長手方向に沿って配置される各支柱をデッキ材の長手方向に沿って直線状に並べて配置することが可能である。
【０００７】
かかるデッキユニットであって、前記支柱が立設されるピッチと、前記互いに間隔を隔てて配置された前記デッキ材における幾本か毎のピッチとは一致することが望ましい。  
このようなデッキユニットによれば、支柱が立設されるピッチと、幾本か毎のデッキ材のピッチとが一致するので、支柱と、支柱が固定されるデッキ材との相対位置を、いずれの支柱についても同様に配置することが可能である。このため、いずれの支柱もデッキ材に同様に固定することが可能である。
【０００８】
また、前記デッキユニットを施工する方法であって、前記支柱を固定するために当該支柱に設けられた固定穴に対応させて前記隣接するデッキ材の各々に形成されるべき下穴の位置を示す複数の穴部と、前記複数の穴部のうち、互いに異なる前記デッキ材に形成される下穴の位置を示す少なくとも２つの穴部の間から突出された突起部と、を有する施工治具を用い、前記突起部を前記隣接するデッキ材間の前記間隔に挿入させて前記施工治具を配置するステップと、配置された前記施工治具の前記穴部に合わせて前記デッキ材に下穴を形成するステップと、前記下穴に位置合わせした前記支柱を固定具にて固定するステップと、を有することを特徴とするデッキユニットを施工する方法である。  
このようなデッキユニットを施工する方法によれば、施工治具には支柱に設けられた固定穴に対応させて複数の穴部が設けられており、これら複数の穴部は、デッキ材に支柱を固定するために形成されるべき下穴の位置を示しているので、この穴部の位置に合わせて下穴を開けることにより、支柱の固定穴に適した下穴を形成することが可能である。また、複数の穴部のうちの少なくとも２つの穴部の間には突起部が設けられており、この突起部を隣接するデッキ材間の間隔に挿入させて施工治具を配置するので、支柱が架け渡される隣接するデッキ材の各々に下穴が形成されるように施工治具を容易に配置させることが可能である。そして、隣接するデッキ材上に配置された施工治具の穴部の位置に合わせて下穴を形成することにより、隣接するデッキ材の各々に下穴を形成することが可能である。このため、施工治具の穴部の位置に合わせて下穴を形成することにより、支柱を架け渡して固定するための下穴を、隣接する２本のデッキ材に容易に形成することが可能である。
【０００９】
かかるデッキユニットを施工する方法であって、前記施工治具は、当該施工治具の端部を前記デッキ材の端部に揃えることにより、前記支柱が立設されるべき位置に前記穴部が配置されることが望ましい。  
このようなデッキユニットを施工する方法によれば、施工治具の端部をデッキ材の端部に揃えるだけで、支柱が立設されるべき位置に下穴を形成すべく施工治具を配置することが可能である。また、複数の支柱を固定する下穴をいずれも施工治具を用いて形成することにより、いずれの支柱もデッキ材の端部から等距離に立設させることが可能である。このため、短時間で容易に、直線状のフェンスを形成することが可能である。
【発明の効果】
【００１０】
本発明によれば、固定されている支柱によりデッキ材に作用する負荷を抑えたデッキユニット、及び、このデッキユニットを施工する方法を提供することができるという効果がある。
【発明を実施するための最良の形態】
【００１１】
以下、本発明の一実施形態に係るデッキユニット及びデッキユニットを施工する方法について図面を参照して説明する。
【００１２】
図１は、本実施形態に係るデッキユニットの概略図である。図２は、デッキ材と支柱との配置を説明するための図である。図３は、支柱の固定方法を説明するための図２のＡ矢視図である。
【００１３】
本実施形態にかかるデッキユニット１０は、建物１の掃き出し窓３の外側に設けられており、床面を形成する複数のデッキ材２０ａの長手方向が、窓３の面材と直交する方向に沿わされ、長手方向と交差する方向（以下、交差方向という）に互いに間隔を隔てて配置されたデッキ２０と、デッキ２０上に立設された複数の支柱３２を備えたフェンス３０とを有している。本実施形態のフェンス３０は、窓３側を除くデッキ２０の周縁部近傍に平面視コ字状に形成されている。
【００１４】
デッキ２０は、基礎から立設された複数の束材（不図示）上に交差方向に沿って架け渡された少なくとも２本の大引き２２に、複数のデッキ材２０ａが互いに連結材２５（図３）に連結されてほぼ等間隔に固定されており、窓３側を除く周縁部には幕板２４が設けられている。
【００１５】
フェンス３０は、所定の幅を有する複数の面材３４と、隣接する面材３４間にて共有させつつ各面材３４の両側に設けられた複数の支柱３２を有している。面材３４は矩形状の枠体３４ａの内側に格子３４ｂが形成されている。支柱３２は、水平断面がほぼ矩形状をなす中空の柱部３２ａと、柱部３２ａの下端に設けられた平板状のベースプレート３２ｂとを有している。ベースプレート３２ｂは、柱部３２ａの全周に亘って外方に突出された正方形状の平板であり、四隅近傍には固定具としてのボルト４０とナット４１とにてデッキ材２０ａに固定するための固定穴３２ｃが形成されている。
【００１６】
本実施形態のデッキユニット１０は、窓３の見付け方向に沿ってほぼ等間隔に配置された６本のデッキ材２０ａが、隣接する支柱３２間に配置されるように構成されている（図２）。すなわち、支柱３２が立設されるピッチＰ１と、間隔を隔てて配置されるデッキ材２０ａにおける６本毎のピッチＰ２とは一致する。このため、支柱３２の中央が、間隔を隔てて隣接するデッキ材２０ａ間に形成される間隙２６の中央に位置している。交差方向における両側に位置するフェンス３０は、デッキ２０の両端側に位置するそれぞれ２本のデッキ材２０ａ間に支柱３２の中央が位置するように配置される。
【００１７】
そして、図２、図３に示すように、支柱３２は、隣接する２本のデッキ材２０ａの上であって、支柱３２の中央が２本のデッキ材２０ａ間に配置されている。そして、デッキ材２０ａの長手方向における端部２０ｃとベースプレート３２ｂの端部３２ｄとの距離がＬ１になる位置にて、ベースプレート３２ｂが２本のデッキ材２０ａ上に架け渡されて、ベースプレート３２ｂとデッキ材２０ａとを貫通するボルト４０にて固定されている。このとき、ベースプレート３２ｂの下方に大引き２２が存在する場合には、ボルト４０は大引き２２に形成されたタップ穴に螺合され、大引き２２が存在しない場合には、デッキ材２０ａの下面側に補強部材４４が当接されボルト４０が貫通されて、ベースプレート３２ｂと補強部材４４とにてデッキ材２０ａを挟んだ状態にてボルト４０にナット４１が螺合されて固定されている。そして隣接する支柱３２間にはそれぞれ面材３４が固定されている。
【００１８】
次に、デッキユニット１０のデッキ２０に支柱３２を固定するためのデッキユニット１０を施工する方法について説明する。デッキ２０に支柱３２を立設する際には、デッキ材２０ａの支柱３２を固定する位置に下穴２０ｂを予め形成しておく。このとき、下穴２０ｂを形成する位置を容易に特定するための施工治具を使用する。図４は、施工治具を示す図であり、図４（ａ）は、施工治具の平面図、図４（ｂ）は、施工治具の側面図である。なお、施工治具５０とベースプレート３２ｂとを対比するために、図４（ａ）には、施工治具５０とベースプレート３２ｂとを重ねた際のベースプレート３２ｂの外形を一点鎖線にて示している。
【００１９】
図示するように、本実施形態の施工治具５０は、長方形状の平板状をなし、長方形の短辺側の中央に、施工治具５０の長手方向に沿って、全域に亘って突設された突起部５２と、支柱３２の固定穴３２ｃと等ピッチに形成された４つの穴部としての４つの貫通穴５４とを有している。長方形の短辺の長さは、ベースプレート３２ｂがなす正方形の一辺の長さと一致している。そして、施工治具５０の一方の短辺とベースプレート３２ｂの一辺とが一致するように重ねた際に、４つの貫通穴５４は、ベースプレート３２ｂの固定穴３２ｃと重なる位置に設けられている。このため、施工治具５０とベースプレート３２ｂとを、貫通穴５４と固定穴３２ｃとが重なるように配置すると、施工治具５０はベースプレート３２ｂより一方向に長く延出される延出部位５０ａを有している。この延出部位５０ａ側の端部から貫通穴５４までの距離Ｌ３は、設計上の配設位置に支柱３２が配置されたときの固定穴３２ｃの位置とデッキ材２０ａの長手方向における端部２０ｃとの距離Ｌ２（図２）と一致している。
【００２０】
図５は、デッキユニットを施工する方法における支柱の固定方法を説明するための図であり、図５（ａ）は、施工治具をデッキに配置するステップの説明図、図５（ｂ）は、配置された施工治具の貫通穴に合わせてデッキ材に下穴を形成するステップの説明図、図５（ｃ）は、下穴に位置合わせした支柱をボルトにて固定するステップの説明図である。
【００２１】
デッキ２０に支柱３２を立設する際には、まず、図５（ａ）に示すように、デッキ２０の複数のデッキ材２０ａのうち、支柱３２が形成されるべき位置に配置された２本のデッキ材２０ａ上に、施工治具５０を架け渡して配置する（施工治具をデッキに配置するステップ）。このとき、施工治具５０の突起部５２を２本のデッキ材２０ａ間の間隙２６に挿入させると共に、延出部位５０ａ側の端部５０ｂとデッキ材２０ａの長手方向における端部２０ｃとが面一になるように位置合わせして配置する。
【００２２】
次に、図５（ｂ）に示すように、デッキ２０上に配置された施工治具５０の貫通穴５４の内側に位置させて、デッキ材２０ａにドリル等により下穴２０ｂを形成する（施工治具の貫通穴に合わせてデッキ材に下穴を形成するステップ）。このとき、デッキ材２０ａの下方に大引き２２が存在する場合には、下穴２０ｂの真下に位置する大引き２２の部位にタップ穴を形成しておく。このように、施工治具５０を用いて下穴２０ｂを形成することにより、設計上の支柱３２を配置すべき位置に下穴２０ｂを容易に形成することが可能である。
【００２３】
そして、図５（ｃ）に示すように、支柱３２の各固定穴３２ｃにデッキ材２０ａに形成された下穴２０ｂが入るように支柱３２を配置し、ベースプレート３２ｂの上方からボルト４０を挿通させる。このとき、ベースプレート３２ｂの下方に大引き２２が存在する場合には、大引き２２のタップ穴にボルト４０を螺合させる。ベースプレート３２ｂの下方に大引き２２が存在しない場合には、２本のデッキ材２０ａの下面側に補強部材４４を当接させてボルト４０を貫通させナット４１にて固定する（支柱をボルトにて固定するステップ）。補強部材４４は、例えば断面がＬ字状の鋼製の部材であり、Ｌ字状に形成される一方の板部４４ａには、２つのデッキ材２０ａに形成された下穴２０ｂの間隔、及び、ベースプレート３２ｂの固定穴３２ｃの間隔と同じ間隔にてスルーホール４４ｂが形成されており、スルーホール４４ｂを貫通したボルト４０にナット４１が螺合される。
【００２４】
このようにデッキ材２０ａの長手方向における端部２０ｃ側に支柱３２を立設するための下穴２０ｂを、同一の施工治具５０を用いて形成すると、いずれの支柱３２もデッキ材２０ａの長手方向における端部２０ｃから等位置に立設させることが可能であり、支柱３２を直線状に配置して見映えのよいフェンス３０を容易に且つ短時間で形成することが可能である。
【００２５】
図６は、デッキ材の長手方向に沿って複数の支柱を形成する方法の説明図である。  
本実施形態のデッキユニット１０では、図１に示すようにデッキ材２０ａに対する交差方向の両端部側に、デッキ材２０ａの長手方向に沿ってフェンス３０が形成されている。そして、デッキ材２０ａの長手方向に沿って形成されるフェンス３０は、デッキ２０における窓３の見付け方向の両端の２本のデッキ材２０ａにベースプレート３２ｂが架け渡されている。
【００２６】
デッキ材２０ａの長手方向に沿って複数の支柱３２を形成する場合には、図５（ａ）〜（ｃ）にて説明したような、交差方向に沿う複数の支柱３２を形成した後に施工される。このため、デッキ材２０ａの長手方向に沿って形成される複数の支柱３２のうち、デッキ材２０ａの長手方向における最も先端側に配置される支柱３２は既に立設されている。そして、デッキ材２０ａの長手方向に沿って複数の支柱３２を形成する場合には、既に立設されているデッキ材２０ａの長手方向において最も先端側に位置する支柱３２（以下、最先端支柱３３という）を基準として、他の支柱３２を立設する。
【００２７】
デッキ材２０ａの長手方向に沿って支柱３２を形成する場合には、まず、基準となる最先端支柱３３が固定されている２本のデッキ材２０ａ上であって、最先端支柱３３より窓３側に施工治具５０を配置する。このとき、最先端支柱３３が固定されている２本のデッキ材２０ａの間隙２６に施工治具５０の突起部５２を挿入する。また、施工治具５０の延出部位５０ａが最先端支柱３３とは反対側に位置するように施工治具５０を配置する。
【００２８】
次に、図６に示すように、最先端支柱３３のベースプレート３２ｂの、デッキ材２０ａの長手方向における端部２０ｃ側の端縁と、施工治具５０の最先端支柱３３側の端縁との距離Ｐ３が、隣接する２本の支柱３２を配置させるべきピッチＰ１（図２）と一致するように施工治具５０の位置を合わせる。
【００２９】
次に、位置あわせされた施工治具５０の貫通穴５４の内側にドリル等によりデッキ材２０ａに下穴２０ｂを形成する。このときも、デッキ材２０ａの下方に大引き２２が存在する場合には、下穴２０ｂの真下に位置する大引き２２の部位にタップ穴を形成しておく。
【００３０】
そして、支柱３２の各固定穴３２ｃにデッキ材２０ａに形成された下穴２０ｂが入るように支柱３２を配置し、ベースプレート３２ｂの上方からボルト４０を挿通させる。このとき、ベースプレート３２ｂの下方に大引き２２が存在する場合には、大引き２２のタップ穴にボルト４０を螺合する。ベースプレート３２ｂの下方に大引き２２が存在しない場合には、２本のデッキ材２０ａの下面側に補強部材４４を当接させてボルト４０を貫通させナット４１にて固定する。
【００３１】
上記実施形態のデッキユニット１０及びデッキユニット１０を施工する方法によれば、各支柱３２が隣接する２本のデッキ材２０ａにより支持されるので、１本のデッキ材２０ａに作用する負荷を軽減させることが可能であり、支柱３２が１本のデッキ材２０ａに固定される場合と比較して、より強固にデッキ２０に固定することが可能である。
【００３２】
また、デッキ材２０ａの長手方向に沿って配置される各支柱３２が同一の隣接するデッキ材２０ａに固定されているので、長手方向に沿って配置される各支柱３２をデッキ材２０ａに沿って直線状に配置することが可能である。
【００３３】
また、本実施形態のデッキユニット１０は、支柱３２が立設されるピッチＰ１と、６本毎のデッキ材２０ａのピッチＰ２とが一致するので、支柱３２と、支柱３２が固定されるデッキ材２０ａとの相対位置を、いずれの支柱３２についても同様に配置することが可能である。このため、いずれの支柱３２も隣接する２本のデッキ材２０ａに架け渡して固定することが可能である。
【００３４】
そして、上記デッキユニット１０は、施工治具５０を用いて施工されるが、矩形状をなす施工治具５０に設けられた４つの穴部としての貫通穴５４を２つずつに分けるように、４つの貫通穴５４の間に形成された突起部５２を隣接するデッキ材２０ａ間の間隙２６に挿入させるので、隣接するデッキ材２０ａの各々にそれぞれ貫通穴５４が配置されるように施工治具５０を配置することが可能である。そして、施工治具５０の貫通穴５４に合わせて下穴２０ｂを形成することにより、支柱３２を固定する２本のデッキ材２０ａに、支柱３２を架け渡してデッキ材２０ａに固定するための下穴２０ｂを容易に形成することが可能である。
【００３５】
このとき、施工治具５０の端部５０ｂをデッキ材２０ａの長手方向における端部２０ｃに揃えるだけで、支柱３２が立設されるべき位置に下穴２０ｂを形成すべく施工治具５０を配置することが可能である。また、複数の支柱３２を固定する下穴２０ｂをいずれも施工治具５０を用いて形成することにより、交差方向に並ぶいずれの支柱３２もデッキ材２０ａの長手方向における端部２０ｃから等距離に立設させることが可能である。このため、短時間で容易に、フェンス３０を直線状に形成することが可能である。また、施工治具５０の貫通穴５４からの距離が互いに異なるような複数の端部を有するように施工治具５０を形成すると、デッキ２０の端部からの距離が異なる位置に支柱３２が設けられるような仕様の異なるデッキユニット１０の施工時にも使用することができる汎用性の高い施工治具を実現することが可能である。
【００３６】
本実施形態においては、フェンス３０を構成する支柱３２間に面材３４のみが設けられる例について説明したが、フェンス３０の支柱３２間には面材３４の他、支柱３２に支持されて回動する扉を設けても良く、また、フェンス３０のいずれかの隣接する支柱３２間に面材等が設けられていない箇所を有していても良い。
【００３７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３８】
【図１】本実施形態に係るデッキユニットの概略図である。
【図２】デッキ材と支柱との配置を説明するための図である。
【図３】支柱の固定方法を説明するための図２のＡ矢視図である。
【図４】図４（ａ）は、施工治具の平面である。図４（ｂ）は、施工治具の側面図である。
【図５】図５（ａ）は、施工治具をデッキに配置するステップの説明図、図５（ｂ）は、配置された施工治具の貫通穴に合わせてデッキ材に下穴を形成するステップの説明図、図５（ｃ）は、下穴に位置合わせした支柱をボルトにて固定するステップの説明図である。
【図６】デッキ材の長手方向に沿って複数の支柱を形成する方法の説明図である。
【符号の説明】
【００３９】
１０  デッキユニット、
２０  デッキ、２０ａ  デッキ材、２０ｂ  下穴、
２６  間隙、３０  フェンス、
３２  支柱、３２ａ  柱部、３２ｂ  ベースプレート、３２ｃ  固定穴、
５０  施工治具、５２  突起部、５４  貫通穴
【図１】
2008008026.tif 000003
【図２】
2008008026.tif 000004
【図３】
2008008026.tif 000005
【図４】
2008008026.tif 000006
【図５】
2008008026.tif 000007
【図６】
2008008026.tif 000008